(57)【要約】【課題】本発明は、内容物を完全に密封した状態でありながら、且つ容易に開封することができ、トップシール部の形状やシール部の設備を変更することもなくシール強度の変更ができ、工程数が増えず、特殊な設備も使用せず、安価でシール強度も内容物による影響のない易開封液体紙容器を提供することを目的とする。【解決手段】板紙層を基材層として、少なくとも表面層および裏面層に熱可塑性樹脂層を積層した積層板からなるブランクを折畳み成形した易開封液体紙容器において、トップシール部Ｘに全ベタ剥離ニス層ｃ、網点パターン状剥離ニス層ｂを順次設け、且つトップシール部Ｘおよび該トップシール部Ｘの下縁に連設された頂部Ｙとの間に設けられた折り目線（罫線）に掛かるようにして全ベタ剥離ニス層ｃを設けたことを特徴とする易開封液体紙容器である。【選択図】図１
2005200049.tif 000002
【特許請求の範囲】
【請求項１】
板紙層を基材層として、少なくとも表面層および裏面層に熱可塑性樹脂層を積層した積層板からなるブランクを折畳み成形した易開封液体紙容器において、トップシール部に剥離ニスを網点でパターン印刷を施したことを特徴とする易開封液体紙容器。
【請求項２】
板紙層を基材層として、少なくとも表面層および裏面層に熱可塑性樹脂層を積層した積層板からなるブランクを折畳み成形した易開封液体紙容器において、トップシール部の裏面に全ベタ剥離ニス層、網点パターン状剥離ニス層を順次設け、且つトップシール部および該トップシール部の下縁に連設された頂部との間に設けられた折り目線（罫線）に掛かるようにして全ベタ剥離ニス層を設けたことを特徴とする易開封液体紙容器。
【請求項３】
板紙層を基材層として、少なくとも表面層および裏面層に熱可塑性樹脂層を積層した積層板からなるブランクを折畳み成形した易開封液体紙容器において、トップシール部の裏面に全ベタ剥離ニス層、網点パターン状剥離ニス層を順次設けたことを特徴とする易開封液体紙容器。
【請求項４】
前記網点パターン状剥離ニス層は、網点の線数が１０〜２５０線以下の範囲であり、且つ１マス当りのシール部面積が０．００５ｍｍ2〜３ｍｍ2未満であり、さらに網点印刷部の印刷面積が全体面積に対して５％より上かつ５５％未満であることを特徴とする請求項１乃至３のいずれか１項記載の易開封液体紙容器。
【発明の詳細な説明】
【技術分野】
【０００１】
本発明は、酒類、果実飲料、調味料、台所洗剤などの液体内容物を包装する易開封液体紙容器に関するものであり、さらに詳しくは、液体紙容器に液体内容物を完全密封した状態に保持しながら、且つ該容器のトップシール部の開封を容易にした易開封液体紙容器に関するものである。
【背景技術】
【０００２】
従来、易開封構造を有する液体紙容器として、容器本体の頂部閉鎖用側壁面のうち、切妻部折込み側壁の上端部をストレートに形成し、この切妻部折込み側壁の上部接着フラップを外側から挟持して接着する垂直壁上部の一部に抗接着剤を塗布して該フラップの熱可塑性樹脂層の熱溶着部が容易に剥離し得るようにし、該フラップを剥離し引き出して注出用スパウトを形成させる形式のものが知られている。
【０００３】
しかしながら、このような易開封構造を有する液体紙容器の頂部閉鎖用側壁の接着シールは、頂部閉鎖用側壁のうち切妻部折込み側壁を内側に折り込んで、上部接着フラップを外側から挟持し、頂部閉鎖用側壁を高温にして押圧して行われる。
【０００４】
このため、前記のように切妻部折込み側壁の上部接着フラップを外側から挟持して接着する垂直壁上部の一部に抗接着剤を塗布して、上部接着フラップの熱可塑性樹脂層の熱溶着部が容易に剥離し得るようにしようとしても、シール時の押圧と高温の影響で塗布面の構成が破壊され、上部接着フラップの熱可塑性樹脂層である熱溶着部の開封のし易さが損なわれるという問題点を有している。
【０００５】
このため、上部接着フラップの熱可塑性樹脂層の熱溶着部の開封時に剥離面が一定せず熱可塑性樹脂層が紙質の一部を剥ぎ取り、紙質内部で剥離することになり、この場合、注ぎ口に紙の繊維が露出してしまい、内容物が紙層に滲み込み、非衛生的になるという問題点を有している。
【０００６】
このような問題点を解決し、トップシール部を開封し易くするために各種の提案がなされている。
【０００７】
例えば、図６に示すように、易開封液体紙容器においてシール面の最もシールし易い面の形状を変えることにより、該紙容器の開封を従来よりも小さい力で容易に行えるようにするとともに、シールの完全性を向上させるものである。
【０００８】
図において、２０は、少なくとも表裏面に熱可塑性樹脂層（図示せず）をもつゲーブル型の易開封液体紙容器本体、２１は、第１パネル、２２は、第２パネル、２３は、第３パネル、２４は、第４パネル、２５は、第５パネルである。
【０００９】
２７は、第１パネル２１、第２パネル２２、第３パネル２３、第４パネル２４の上部に形成され易開封液体紙容器本体２０の頂部を閉鎖する頂部閉鎖用側壁である。
【００１０】
２６は、第１パネル２１と第３パネル２３の上部に形成された頂部閉鎖用側壁２７を内側に折り込むようにした切妻部折込み側壁である。
【００１１】
２８は、第２パネル２２と第４パネル２４の頂部閉鎖用側壁２７の上部で合わせ垂直に立てて接着シールするようにした接着用垂直壁である。
【００１２】
３３は、第１パネル２１、第２パネル２２、第３パネル２３、第４パネル２４、第５パネル２５に帯状に連続して形成される易開封液体紙容器本体２０を封止するための接着フラップである。
【００１３】
次に、第１パネル２１の切妻部折込み側壁２６の折込み部の上端部２９は山形に形成されており、また、第３パネル２３の切妻部折込み側壁２６の略中央上端部には、水平端部より上方に突出する突出部３０が形成されており、この突出部３０の両側には水平端部より下方に下がる切欠部３１、３２が形成されている。
【００１４】
このように一対の頂部切妻部折込み側壁２６の、一方の上端部２９を山形に形成するとともに、他方の上端部の略中央に上方に突き出す突出部３０を形成し、且つ該突出部３０の左右に上端部より下方に切り欠いた切欠部３１、３２を形成したことにより、第１パネル２１の切妻部折込み側壁２６の接着フラップ３３と第３パネル２３の切妻部折込み側壁２６の接着フラップ３３は、第３パネル２３の切妻部折込み側壁２６の略中央上端部の突出部３０の両側の切欠部３１、３２の部分で幅が狭くなっているため、その部分で接着幅が小さく、易開封液体紙容器本体２０の切妻部折込み側壁２６の折込み部を従来に比べて小さい力で容易に開封することができる（例えば、特許文献１参照。）。
【００１５】
この提案の場合は、開封性の度合いによってトップ部の形状を変更させる必要が生じることや接着幅が狭くなってもその部分は完全に接着されているため開封する際には、シール強度以上の強度が必要となる。
【００１６】
また、シール部分がしっかりと接着できるように工夫が施されている場合には開封が困難となる問題点がある。
【００１７】
次の提案は、特に液体用紙容器の使用後の空容器を解体して分別回収するときに、手で容易にトップシール部を開口し易い該容器の提案がなされている。
【００１８】
図７（ａ）に示すように、板紙層を基材層とし、少なくとも表面層および裏面層に熱融着層をもつ積層板からなるブランク１００は、該ブランク１００の左側パネル１２０および右側パネル１４０のトップシール部Ｘ表面中心より片側部分に剥離ニス塗膜Ｖを部分的に形成し、且つ図７（ｂ）に示すように、表パネル１３０および裏パネル１５０のトップシール部Ｘの裏面にイージーピールテープＷ（層間で容易に剥離可能な多層構成のテープ）を貼着するものである。
【００１９】
このようなブランク１００を使用し、背シールパネル１１０と裏パネル１５０をシールして作製されたスリーブを成形して、トップシール部Ｘと頂部Ｙが切妻屋根型で側壁部Ｚが四角柱状の液体用紙容器は、使用後にトップシール部Ｘを開口するため、先ず、左側パネル１２０のトップシール部Ｘと右側パネル１４０のトップシール部Ｘを剥離するときに熱融着面に部分的に剥離ニス塗膜Ｖが形成されて接着力が調整されているので、手で容易に剥離することができる。
【００２０】
次に、内面同士が熱融着されている表パネル１３０のトップシール部Ｘと左側および右側パネル１２０、１４０のトップシール部Ｘ、また、内面同士が熱融着されている裏パネル１５０のトップシール部Ｘと左側および右側パネル１２０、１４０のトップシール部Ｘとを剥離するときに、その間にイージーピールテープＷが介在しているので、手で容易に剥離してトップシール部Ｘを開口することができる（例えば、特許文献２参照。）。
【００２１】
この提案の場合は、テープ貼着のための新たな設備が必要となり、工程数も増加し、ま
たテープ自体のコストも加わるために液体用紙容器の大幅なコストアップにつながる問題点がある。
【００２２】
次の提案は、内容物を注出する注出口が部分的にシールを弱める成分で構成されているので該注出口の開口が容易である易開封液体紙容器Ａの提案である
図８に示すように、板紙層を基材層とし、少なくとも表面層および裏面層に熱可塑性プラスチック層をもつ積層板からなるブランクＨは、折り目が作製し易いように折り目線が設けられている。
【００２３】
該ブランクＨは、この折り目線を介して、右から横に側壁部４０、４１、４２、４３およびサイドシール側壁部４４が順次連設され、該側壁部４０、４１、４２、４３およびサイドシール側壁部４４の上縁に上部フラップ部４５、４６、４７、４８およびサイドシールフラップ部４９が折り目線を介して、各々連設されている。
【００２４】
さらに、該上部フラップ部４５、４６、４７、４８およびサイドシールフラップ部４９の上縁にトップシール部５０、５１、５２、５３およびサイドトップシール部５４が折り目線を介して、各々連設されている。
【００２５】
該ブランクＨの前記トップシール部５０、５１、５２の裏面にシールを弱める能力を有する成分を含む塗膜層Ｄ、Ｅ、Ｆ、Ｇが部分的に形成されている。
【００２６】
該塗膜層Ｄ、Ｅ、Ｆ、Ｇは、熱可塑性プラスチック、特にポリエチレンの分散水溶液をベースとし、この熱可塑性プラスチックをカルボキシメチル・セルローズ、特にカルボキシメチル・セルローズナトリウムにより改質乃至変態させたものである。
【００２７】
このようなブランクＨをフレームシール機（製函機）でサイドシールしてスリーブを作製し、このスリーブを液体用充填包装機に装填し、底部５５を熱融着して封緘し、図９に示すような易開封液体紙容器Ａを作製する。
【００２８】
この易開封液体紙容器Ａは、トップシール部を開口するために、熱融着面に部分的にシールを弱める能力を有する成分を含む塗膜層Ｄ、Ｅ、Ｆ、Ｇが部分的に形成されて接着力が調整されているので、手で容易に剥離することができる（例えば、特許文献３参照。）。
【００２９】
この提案の場合は、牛乳パックなどでは、従来から用いられている手法であるが、一般的な剥離二スでは完全密封性を保持することは不可能である。
【００３０】
そこで提案のように剥離成分と接着成分を組み合わせて塗布することで適度なシール強度と密封性を得ることは可能であるが、そのような場合は、この部分が直接内容物に触れるため、内容物にシール強度が影響されてしまう場合があり、シール強度に安定性を欠くという問題点がある。
【００３１】
以下に先行技術文献を示す。
【特許文献１】実公平７−４４５９１号公報
【特許文献２】特許第３２５５０７５号公報
【特許文献３】実開平６−５４５３３号公報
【発明の開示】
【発明が解決しようとする課題】
【００３２】
本発明は、このような従来技術の問題点を解決しようとするものであり、内容物を完全に密封した状態でありながら、且つ容易に開封することができる易開封液体紙容器を提供することを目的とする。
【課題を解決するための手段】
【００３３】
本発明は、上記の課題を解決するために成されたものであり、本発明の請求項１に係る発明は、板紙層を基材層として、少なくとも表面層および裏面層に熱可塑性樹脂層を積層した積層板からなるブランクを折畳み成形した易開封液体紙容器において、トップシール部Ｘに剥離ニスを網点Ｍでパターン印刷を施したことを特徴とする易開封液体紙容器である。
【００３４】
本発明の請求項２に係る発明は、板紙層を基材層として、少なくとも表面層および裏面層に熱可塑性樹脂層を積層した積層板からなるブランクを折畳み成形した易開封液体紙容器において、トップシール部Ｘの裏面に全ベタ剥離ニス層ｃ、網点パターン状剥離ニス層ｂを順次設け、且つトップシール部Ｘおよび該トップシール部Ｘの下縁に連設された頂部Ｙとの間に設けられた折り目線（罫線）に掛かるようにして全ベタ剥離ニス層ｃを設けたことを特徴とする易開封液体紙容器である。
【００３５】
本発明の請求項３に係る発明は、板紙層を基材層として、少なくとも表面層および裏面層に熱可塑性樹脂層を積層した積層板からなるブランクを折畳み成形した易開封液体紙容器において、トップシール部Ｘの裏面に全ベタ剥離ニス層ｃ、網点パターン状剥離ニス層ｂを順次設けたことを特徴とする易開封液体紙容器である。
【００３６】
本発明の請求項４に係る発明は、請求項１乃至３のいずれか１項記載の易開封液体紙容器において、前記網点パターン状剥離ニス層ｂは、網点Ｍの線数が１０〜２５０線以下の範囲であり、且つ１マス当りのシール部Ｎ面積が０．００５ｍｍ2〜３ｍｍ2未満であり、さらに網点印刷部の印刷面積が全体面積に対して５％より上かつ５５％未満であることを特徴とする請求項１乃至３のいずれか１項記載の易開封液体紙容器である。
【発明の効果】
【００３７】
本発明は、板紙層を基材層として、少なくとも表面層および裏面層に熱可塑性樹脂層を積層した積層板からなるブランクを折畳み成形した易開封液体紙容器において、トップシール部に剥離ニスを網点でパターン印刷を施すことにより、内容物を完全に密封した状態でありながら、且つ容易に開封することができ、また剥離ニスの網点部の調整を行うことにより、トップシール部の形状やシール部の設備を変更することもなくシール強度の変更ができ、シール部と未シール部が近距離、且つバランス良く配置されるため、幅が広く安定したシール状態を得ることが可能で、網点印刷という一般的な方法を用いるため工程数が増えず、特殊な設備も使用せず、安価でシール強度も内容物による影響のない易開封液体紙容器を提供するものである。
【発明を実施するための最良の形態】
【００３８】
本発明の実施の形態を図１から図５に基づいて詳細に説明する。
【００３９】
図１は本発明に係る易開封液体紙容器のブランクの１実施例を示す部分展開平面図であり、図２は本発明に係る易開封液体紙容器ブランクの他の実施例を示す部分展開平面図であり、図３は本発明に係る易開封液体紙容器のトップシール部Ｘに設ける剥離ニス層ｂの網点パターンの１実施例を示す平面図であり、図４は本発明に係る易開封液体紙容器のトップシール部Ｘに設ける剥離ニス層ｂの網点パターンの要部拡大平面図であり、図５は本
発明に係る易開封液体紙容器の１実施例を示す斜視図である。
【００４０】
本発明の易開封液体紙容器のブランクは、通常、坪量が３００〜４００ｇ／ｍ2の板紙層を基材層とし、少なくとも表面層に１５〜３０μｍ程度のポリエチレンおよび裏面層に４０〜７０μｍ程度のポリエチレンなどの熱可塑性樹脂の熱融着層を積層した積層板を打抜き加工したものである。
【００４１】
次に、該ブランクをフレームシーラーでサイド貼りしてスリーブを作製し、該スリーブを液体充填包装機で成形すると同時に内容物を充填して密封するものである。
【００４２】
尚、ブランクの積層板の構成としては、ガスバリア性などを目的として、中間層を含める場合は、廃棄のし易さを考慮して、最近ではガスバリア層として使用されていたアルミニウム箔を酸化珪素や酸化アルミウムなどの無機酸化物をポリエチレンテレフタレート（ＰＥＴ）などに蒸着した蒸着フィルムに代替した構成が普及している。
【００４３】
例えば、ポリエチレン層／板紙層／ポリエチレン層／ポリエチレンテレフタレート（ＰＥＴ）層／酸化珪素蒸着薄膜層／ポリエチレン層構成などがある。
【００４４】
図１に示すように、板紙層を基材層とし、少なくとも表面層および裏面層に熱可塑性プラスチック層をもつ積層板からなるブランクＨは、折り目が作製し易いように折り目線が設けられている。
【００４５】
該ブランクＨは、この折り目線を介して、左から右横に側壁部Ｚを構成する側壁パネル１、２、３、４およびサイドシール側壁パネル５が順次連設され、該側壁パネル１、２、３、４およびサイドシール側壁パネル５の各々上縁に、頂部Ｙを構成する頂部パネル６、７、８、９およびサイドシール頂部パネル１０が折り目線を介して、各々連設されている。
【００４６】
さらに、該頂部パネル６、７、８、９およびサイドシール頂部パネル１０の各々上縁にトップシール部Ｘを構成するトップシールパネル１２、１３、１４、１５およびサイドシールトップパネル１６が折り目線（罫線）１１を介して、各々連設されている。
【００４７】
このような構成からなるブランクＨの裏面のトップシール部Ｘに全ベタ剥離ニス層ｃと網点パターン状剥離ニス層ｂが順次設けられ、且つトップシール部Ｘおよび該トップシール部Ｘの下縁に連設された頂部Ｙとの間に設けられた折り目線（罫線）に掛かるようにして全ベタ剥離ニス層ｃが設けられている。
【００４８】
同様に、図２に示すように、ブランクＨの裏面のトップシール部Ｘに全ベタ剥離ニス層ｃと網点パターン状剥離ニス層ｂが順次設けられている場合もある。
【００４９】
尚、いずれの剥離ニス層もブランクＨをスリーブ状に成形する際にサイドシールが完全にできるようにサイドシール側壁パネル５の上縁のサイドシール頂部パネル１０、サイドシールトップパネル１６と貼り合わせられる頂部パネル６、トップシールパネル１２の端縁においては塗布しないようにしている。
【００５０】
次に、トップシール部Ｘの裏面に全ベタ剥離ニス層ｃ、網点パターン状剥離ニス層ｂを設ける方法は、公知のオフセット印刷方式、グラビア印刷方式、シルクスクリーン印刷方式、フレキソ印刷方式などの印刷方式、或いはグラビアコーティング方式、リバースロールコーティング方式などのコーティング方式を使用することができる。
【００５１】
図３に示すように、一つ一つの網点Ｍの形状は、菱形や長方形に限定されるものではなく、エッジが崩れた場合や円形でも良い。
【００５２】
また、前記網点Ｍの線数は、２５０線以下で、好ましくは、１０線以上から２５０線以下の範囲内、且つ１マス当り（線によって区切られた１区間）のシール部Ｎの面積は、３ｍｍ2未満で、好ましくは、０．００５ｍｍ2から３ｍｍ2未満の範囲内、さらに網点印刷部の印刷面積は、全体面積に対して５％より上かつ５５％以下の範囲内が適当である。
【００５３】
トップシール部Ｘのシール強度は、網点Ｍの濃度や、図４に示すように、線数（網点間距離Ｌおよびシール部Ｎ距離）を調整することで行うことができる。
【００５４】
尚、易開封液体紙容器のトップ部の形態は、図５に示すような、ゲーベルトップ型に制約されることはなく、トップシール部Ｘを熱融着する形態ならばフラットトップ型などどのような形態でも良い。
【００５５】
以上のように、本発明は、板紙層を基材層として、少なくとも表面層および裏面層に熱可塑性樹脂層を積層した積層板からなるブランクを折畳み成形した易開封液体紙容器において、トップシール部Ｘに剥離ニスを網点Ｍでパターン印刷を施すことにより、内容物を完全に密封した状態でありながら、且つ容易に開封することができる。
【００５６】
また、剥離ニスの網点部の調整を行うことにより、トップシール部Ｘの形状やシール部の設備を変更することなくシール強度の制御ができる。
【００５７】
シール部と未シール部が近距離、且つバランス良く配置されるため、幅が広く安定したシール状態を得ることが可能である。
【００５８】
印刷が網点印刷という一般的な方法を用いるため工程数が増えず、特殊な設備も使用することなく加工が行える。
【００５９】
また、使用する材料も一般的な剥離ニスであるので、特にコストアップにつながることも無く、比較的安価な加工ができる。
【００６０】
トップシール部Ｘにおいて接着される部分は、板紙の両面に積層したポリエチレン樹脂などのシーラント同士であるため、内容物による影響は、通常の剥離ニスを塗布していないシール部分と変わらない易開封液体紙容器を提供できるものである。
【００６１】
以下に、本発明の具体的実施例に基づいて詳細に説明する。
【実施例１】
【００６２】
本発明の易開封液体紙容器のブランクは、坪量が４００ｇ／ｍ2の晒クラフトパルプからなる板紙を基材層とし、該基材層の表面層に３０μｍのポリエチレンをエクストルージョンラミネーション法により積層し、次にポリエチレン２５μｍ／ポリエチレンテレフタレート（ＰＥＴ）１８μｍ／膜厚３００Åの酸化珪素蒸着薄膜からなる中間層を積層し、さらに最裏面層に７０μｍのポリエチレンをドライラミネーション法により積層した積層板を打抜き加工したものである。
【００６３】
次に、図１に示すように、該ブランク容器本体の上部開口内周面のトップシール部Ｘに全ベタ剥離ニス層ｃ、網点パターン状剥離ニス層ｂを順次設け、且つトップシール部Ｘおよび該トップシール部Ｘの下縁に連設された頂部Ｙとの間に設けられた折り目線（罫線）に掛かるようにして全ベタ剥離ニス層ｃをいずれもオフセット印刷方式で設けた。
【００６４】
上記のような構成に対応したオフセット印刷方式による剥離ニス層を設けるために、全ベタ剥離ニス層ｃ用の全ベタ版、および網点パターン状剥離ニス層ｂ用の網点印刷版を作製した。
【００６５】
尚、前記網点印刷版は、線数を２５０線（網点間距離０．１ｍｍ）に一定にして、網点印刷面積を５％、１０％、２５％、４０％、５０％、５５％の６種類に変化させた実用版を作製するための製版フィルムを作製した。
【００６６】
次に、全ベタ／網点パターン／全ベタの順で製版された６種類の印刷版を使用して剥離ニスをオフセット印刷方式で行った。
【実施例２】
【００６７】
網点の線数を１３０線（網点間距離０．２ｍｍ）にした以外は、実施例１と同様にして全ベタ／網点パターン／全ベタの順で製版された６種類の印刷版を使用して剥離ニスをオフセット印刷方式で行った。
【実施例３】
【００６８】
網点の線数を８５線（網点間距離０．３ｍｍ）にした以外は、実施例１と同様にして全ベタ／網点パターン／全ベタの順で製版された６種類の印刷版を使用して剥離ニスをオフセット印刷方式で行った。
【実施例４】
【００６９】
網点の線数を５０線（網点間距離０．５ｍｍ）にした以外は、実施例１と同様にして全ベタ／網点パターン／全ベタの順で製版された６種類の印刷版を使用して剥離ニスをオフセット印刷方式で行った。
【実施例５】
【００７０】
網点の線数を２５線（網点間距離１．０ｍｍ）にした以外は、実施例１と同様にして全ベタ／網点パターン／全ベタの順で製版された６種類の印刷版を使用して剥離ニスをオフセット印刷方式で行った。
【実施例６】
【００７１】
網点の線数を１７線（網点間距離１．５ｍｍ）にした以外は、実施例１と同様にして全ベタ／網点パターン／全ベタの順で製版された６種類の印刷版を使用して剥離ニスをオフセット印刷方式で行った。
【実施例７】
【００７２】
網点の線数を１３線（網点間距離２．０ｍｍ）にした以外は、実施例１と同様にして全ベタ／網点パターン／全ベタの順で製版された６種類の印刷版を使用して剥離ニスをオフセット印刷方式で行った。
【実施例８】
【００７３】
網点の線数を１０線（網点間距離２．５ｍｍ）にした以外は、実施例１と同様にして全ベタ／網点パターン／全ベタの順で製版された６種類の印刷版を使用して剥離ニスをオフセット印刷方式で行った。
【００７４】
このようにして作製したブランクをフレームシーラーでスリーブ状に成形し、トップシール部Ｘをトップシール温度３４５℃、圧力３１０ｍｍＡｑでシールして易開封液体紙容器を作製した。
【００７５】
以上のような条件で作製した、各種易開封液体紙容器のトップシール部Ｘのヒートシールした部分を幅３５ｍｍの短冊状にサンプリングして、テンシロンで剥離強度試験を行って、トップシール部Ｘの易開封性と密封性を確認するためシール強度を測定した。
【００７６】
その結果を表１に示した。
【００７７】
【表１】
2005200049.tif 000003
表１から考察すると、各網点の線数共、網点印刷面積が５％の場合、即ち１マス当たりのシール部面積（ｍｍ2）が各々相対的に大き過ぎてシール強度が非常に強く、テンシロンでの剥離強度試験の結果は、材破（シール面同士の材料が破れてしまうこと）が発生しシール強度測定が不可能であった。
【００７８】
すなわち、密封性が非常に強く、易開封性は全くなかった。
【００７９】
次に、網点の線数が１３線で網点印刷面積が１０％の場合、および１０線で網点印刷面積が１０％、２５％、４０％の場合も同様にシール強度測定が不可能であった。
【００８０】
すなわち、この場合も同様に密封性が非常に強く、易開封性は全くなかった。
【００８１】
いわゆる、易開封液体紙容器としての目的の一つである内容物を完全に密封した状態に保持することはできたが、もう一つの目的である容易に開封することができるという利便性については全く不適当であった。
【００８２】
次に、逆に網点の線数が１０線を除く線数共、網点印刷面積が５５％の場合、即ち１マス当たりのシール部面積（ｍｍ2）が各々相対的に小さ過ぎてシール強度が非常に弱く、シール面同士の接着が不完全であった。
【００８３】
すなわち、易開封液体紙容器としての目的の一つである内容物を完全に密封した状態に保持することはできず不適当であった。
【００８４】
次に、網点の線数が１３線で網点印刷面積が５５％の場合、および網点の線数が１０線で網点印刷面積が５０％、５５％の場合は、強度不安定であった。
【００８５】
すなわち、剥離ニスが塗布されていない部分は材破が発生し、剥離ニスが塗布されている部分では密封されていない状態であり、この場合も易開封液体容器としては不適当であった。
【００８６】
尚、一般的なオフセット印刷方式で印刷可能なニスの線数を考慮して、上限２５０線にて評価した。
【００８７】
すなわち、２５０線より線数が多いと印刷不良などの問題が予測されるため不適当と考えられるためである。
【００８８】
以上の結果から、網点Ｍの線数は、２５０線以下で、好ましくは、１０線以上から２５０線以下の範囲内、且つ１マス当り（線によって区切られた１区間）のシール部Ｎの面積は、３ｍｍ2未満で、好ましくは、０．００５ｍｍ2から３ｍｍ2未満の範囲内、さらに網点印刷部の印刷面積は、全体面積に対して５％より上かつ５５％以下の範囲内が適当であった。
【００８９】
このようにトップシール部Ｘのシール強度は、網点Ｍの濃度や、図４に示すように、線数（網点間距離Ｌおよびシール部Ｎ距離）を調整することで行うことができた。
【００９０】
尚、易開封液体紙容器のトップ部の形態は、図５に示すような、ゲーベルトップ型に制約されることはなく、トップシール部Ｘを熱融着する形態ならばフラットトップ型などどのような形態でも良い。
【００９１】
以上のように、本発明は、板紙層を基材層として、少なくとも表面層および裏面層に熱可塑性樹脂層を積層した積層板からなるブランクを折畳み成形した易開封液体紙容器において、トップシール部Ｘに剥離ニスを網点Ｍでパターン印刷を施すことにより、内容物を完全に密封した状態でありながら、且つ容易に開封することができた。
【００９２】
また、剥離ニスの網点部の調整を行うことにより、トップシール部の形状やシール部の設備を変更することなくシール強度の制御ができた。
【００９３】
シール部と未シール部が近距離、且つバランス良く配置されるため、幅が広く安定したシール状態を得ることが可能であった。
【００９４】
印刷が網点印刷という一般的な方法を用いるため工程数が増えず、特殊な設備も使用することなく加工が行えた。
【００９５】
また、使用する材料も一般的な剥離ニスであるので、特にコストアップにつながることも無く、比較的安価な加工ができた。
【００９６】
トップシール部Ｘにおいて接着される部分は、板紙の両面に積層したポリエチレン樹脂などのシーラント同士であるため、内容物による影響は、通常の剥離ニスを塗布していないシール部分と変わらなかった。
【図面の簡単な説明】
【００９７】
【図１】本発明に係る易開封液体紙容器のブランクの１実施例を示す部分展開平面図である。
【図２】本発明に係る易開封液体紙容器のブランクのその他の実施例を示す部分展開平面図である。
【図３】本発明に係る易開封液体紙容器のトップシール部に設ける剥離ニス層の網点パターンの１実施例を示す平面図である。
【図４】本発明に係る易開封液体紙容器のトップシール部に設ける剥離ニス層の網点パターンの要部拡大平面図である。
【図５】本発明に係る易開封液体紙容器の１実施例を示す斜視図である。
【図６】従来の１実施例の易開封液体紙容器のブランクの部分展開平面図である。
【図７】（a）は、従来の１実施例の易開封液体紙容器のトップシール部の表面の状態を示すブランクの部分展開平面図であり、（ｂ）は、トップシール部の裏面の状態を示すブランクの部分展開平面図であり、
【図８】従来の１実施例の易開封液体紙容器のブランクの展開平面図である。
【図９】従来の１実施例の易開封液体紙容器の開封状態を示す斜視図である。
【符号の説明】
【００９８】
ｂ・・・網点パターン状剥離ニス層
ｃ・・・全ベタ剥離ニス層
Ａ・・・易開封液体紙容器
Ｄ・・・塗膜層
Ｅ・・・塗膜層
Ｆ・・・塗膜層
Ｇ・・・塗膜層
Ｈ・・・ブランク
Ｌ・・・網点間距離
Ｍ・・・網点
Ｎ・・・シール部
Ｖ・・・剥離ニス塗膜
Ｗ・・・イージーピールテープ
Ｘ・・・トップシール部
Ｙ・・・頂部
Ｚ・・・側壁部
１・・・側壁パネル
２・・・側壁パネル
３・・・側壁パネル
４・・・側壁パネル
５・・・サイドシール側壁パネル
６・・・頂部パネル
７・・・頂部パネル
８・・・頂部パネル
９・・・頂部パネル
１０・・・サイドシール頂部パネル
１２・・・トップシールパネル
１３・・・トップシールパネル
１４・・・トップシールパネル
１５・・・トップシールパネル
１６・・・サイドシールトップパネル
２０・・・易開封液体紙容器本体
２１・・・第１パネル
２２・・・第２パネル
２３・・・第３パネル
２４・・・第４パネル
２５・・・第５パネル
２６・・・切妻部折込み側壁
２７・・・頂部閉鎖用側壁
２８・・・接着用垂直壁
２９・・・上端部
３０・・・突出部
３１・・・切欠部
３２・・・切欠部
３３・・・接着フラップ
４０・・・側壁部
４１・・・側壁部
４２・・・側壁部
４３・・・側壁部
４４・・・サイドシール側壁部
４５・・・上部フラップ部
４６・・・上部フラップ部
４７・・・上部フラップ部
４８・・・上部フラップ部
４９・・・サイドシールフラップ部
５０・・・トップシール部
５１・・・トップシール部
５２・・・トップシール部
５３・・・トップシール部
５４・・・サイドトップシール部
５５・・・底部
１００・・・ブランク
１１０・・・背シールパネル
１２０・・・左側パネル
１３０・・・表パネル
１４０・・・右側パネル
１５０・・・裏パネル
【図１】
2005200049.tif 000004
【図２】
2005200049.tif 000005
【図３】
2005200049.tif 000006
【図４】
2005200049.tif 000007
【図５】
2005200049.tif 000008
【図６】
2005200049.tif 000009
【図７】
2005200049.tif 000010
【図８】
2005200049.tif 000011
【図９】
2005200049.tif 000012